(57)【要約】      （修正有）【課題】取り扱い易い電池蓋を有する電池収納部、及びそのような電池蓋を有する電池収納部を備えた電気機器を提供する。【解決手段】電池収納部３４は、第１の軸に沿って延在する開口を有する電池収納室３８と、電池収納室内において第１の軸上に、開口から離間して配置された弾性体からなる第１接点４８と、電池収納室内において、第１接点で第１の軸と交差する第２の軸上に、第１接点から離間して配置された第２接点５０と、開口を通って電池収納室内に進入するように構成された押圧部５６を有する電池蓋と、を備える。【選択図】図４
2009048782.tif 000002
【特許請求の範囲】
【請求項１】
第１の軸に沿って延在する開口を有する電池収納室と、
前記電池収納室内において前記第１の軸上に、前記開口から離間して配置された弾性体からなる第１接点と、
前記電池収納室内において、前記第１接点で前記第１の軸と交差する第２の軸上に、前記第１接点から離間して配置された第２接点と、
前記開口を通って前記電池収納室内に進入するように構成された押圧部を有する電池蓋と、
を備える電池収納部。
【請求項２】
前記電池蓋が、前記押圧部を支持し、前記開口に嵌合する台座部をさらに備え、
前記押圧部が、前記台座部の延伸軸に対して傾斜する第１の面を有し、
前記台座部の延伸軸に対する前記第１の面の角度が、φｍａｘ及びφｍｉｎをそれぞれ収納する電池の直径の最大及び最小とし、Ａｍａｘ及びＡｍｉｎをそれぞれ前記電池の総高の最大及び最小としたとき、
式（１）αmin＝ｔａｎ-1（φmin／２／Ａmax）
式（２）αmax＝ｔａｎ-1（φmax／２／Ａmin）
に基づいて計算されるαminとαmaxの間の範囲にあり、
前記押圧部が、前記第１の面に隣接し、前記第１の面とは異なる角度を有し、前記台座部が前記開口に嵌合しているとき、前記第１接点と第２接点の間に配置された電池の側面に接する第２面を有する、請求項１に記載の電池収納部。
【請求項３】
前記開口と前記第２接点が、前記第１の軸に沿って延在する壁部を挟んで隣接する、請求項１又は２に記載の電池収納部。
【請求項４】
前記第１接点が非圧縮状態のとき、前記第１接点と前記開口の間の距離が前記電池収納部に収納される電池の長手方向の寸法より短く、前記第１接点が圧縮状態のとき、前記第１接点と前記開口の間の距離が前記電池の長手方向の寸法より長い、請求項１〜３のいずれか１項に記載の電池収納部。
【請求項５】
前記第１の軸と第２の軸の間の角度が、φｍａｘ及びφｍｉｎをそれぞれ収納する電池の直径の最大及び最小とし、Ａｍａｘ及びＡｍｉｎをそれぞれ前記電池の総高の最大及び最小とし、Ｆｍａｘ及びＦｍｉｎをそれぞれ前記電池の正極端子の直径の最大及び最小としたとき、
式（３）βmin＝ｔａｎ-1（２*（Ａmax−Ａmin）／（φmax−Ｆmin）
式（４）βmax＝ｔａｎ-1（２*（Ａmax−Ａmin）／（φmin−Ｆmax）
に基づいて計算されるβminとβmaxの間の範囲にある、請求項１〜４のいずれか１項に記載の電池収納部。
【請求項６】
第１の軸に沿って延在する開口を有する電池収納室と、
前記電池収納室内において前記第１の軸上に、前記開口から離間して配置された弾性体からなる第１接点と、
前記電池収納室内において、前記第１接点で前記第１の軸と交差する第２の軸上に、前記第１接点から離間して配置された第２接点と、
前記開口を通って前記電池収納室内に進入するように構成された押圧部を有する電池蓋と、
両端子が前記第１接点及び第２接点に接触するように電池収容室に配置した電池により電源を供給される電気素子と、
を備える電気機器。
【請求項７】
前記電池蓋が、前記押圧部を支持し、前記開口に嵌合する台座部をさらに備え、
前記押圧部が、前記台座部の延伸軸に対して傾斜する第１の面を有し、
前記台座部の延伸軸に対する前記第１の面の角度が、φｍａｘ及びφｍｉｎをそれぞれ収納する電池の直径の最大及び最小とし、Ａｍａｘ及びＡｍｉｎをそれぞれ前記電池の総高の最大及び最小としたとき、
式（１）αmin＝ｔａｎ-1（φmin／２／Ａmax）
式（２）αmax＝ｔａｎ-1（φmax／２／Ａmin）
に基づいて計算されるαminとαmaxの間の範囲にあり、
前記押圧部が、前記第１の面に隣接し、前記第１の面とは異なる角度を有し、前記台座部が前記開口に嵌合しているとき、前記第１接点と第２接点の間に配置された電池の側面に接する第２面を有する、請求項６に記載の電気機器。
【請求項８】
前記開口と前記第２接点が、前記第１の軸に沿って延在する壁部を挟んで隣接する、請求項６又は７に記載の電気機器。
【請求項９】
前記第１接点が非圧縮状態のとき、前記第１接点と前記開口の間の距離が前記電池収納部に収納される電池の長手方向の寸法より短く、前記第１接点が圧縮状態のとき、前記第１接点と前記開口の間の距離が前記電池の長手方向の寸法より長い、請求項６〜８のいずれか１項に記載の電気機器。
【請求項１０】
前記第１の軸と第２の軸の間の角度が、φｍａｘ及びφｍｉｎをそれぞれ収納する電池の直径の最大及び最小とし、Ａｍａｘ及びＡｍｉｎをそれぞれ前記電池の総高の最大及び最小とし、Ｆｍａｘ及びＦｍｉｎをそれぞれ前記電池の正極端子の直径の最大及び最小としたとき、
式（３）βmin＝ｔａｎ-1（２*（Ａmax−Ａmin）／（φmax−Ｆmin）
式（４）βmax＝ｔａｎ-1（２*（Ａmax−Ａmin）／（φmin−Ｆmax）
に基づいて計算されるβminとβmaxの間の範囲にある、請求項６〜９のいずれか１項に記載の電気機器。
【発明の詳細な説明】
【技術分野】
【０００１】
本発明は、電池収納部、及び電池収納部を備えた電気機器に関する。
【背景技術】
【０００２】
従来、電気機器に設けられる電池収納部として、電池を長手方向に出し入れするタイプのものが知られている（特許文献１）。このタイプの電池収納部では、電池の端子と電池収納部の接点との電気接触を確実にするために、また電池蓋を外したときに電池が取り出し易いように、電池収納部の奥に配置したばね状接点が、電池蓋に配置したもう１つの接点に向かって電池を押圧している。
【０００３】
したがって、電池蓋は、ばね状接点の押圧力に抗して、電池を電池収納部内に保持するために、剛性の高い材料で厚い形状に作らなければならないという問題があった。より薄くするために電池蓋をねじで固定した場合、電池蓋を開けるのにねじを外さなければならず、電池交換の際に不便だった。また、電池蓋をスライド式に開閉する構造とした場合、電池収納部の防水性を確保することが困難であった。
【特許文献１】特開平８−１１２８２０号公報
【発明の開示】
【発明が解決しようとする課題】
【０００４】
本発明は上記問題点を解決するためになされたものであり、その目的は、より取り扱い易い電池蓋を有する電池収納部、及びそのような電池蓋を有する電池収納部を備えた電気機器を提供することである。
【課題を解決するための手段】
【０００５】
上記目的を達成するため、本発明による電池収納部は、第１の軸に沿って延在する開口を有する電池収納室と、電池収納室内において第１の軸上に、開口から離間して配置された弾性体からなる第１接点と、電池収納室内において、第１接点で第１の軸と交差する第２の軸上に、第１接点から離間して配置された第２接点と、開口を通って電池収納室内に進入するように構成された押圧部を有する電池蓋と、を備える。
【０００６】
また、本発明による電気機器は、第１の軸に沿って延在する開口を有する電池収納室と、電池収納室内において第１の軸上に、開口から離間して配置された弾性体からなる第１接点と、電池収納室内において、第１接点で第１の軸と交差する第２の軸上に、第１接点から離間して配置された第２接点と、開口を通って電池収納室内に進入するように構成された押圧部を有する電池蓋と、両端子が第１接点及び第２接点に接触するように電池収容室に配置した電池により電源を供給される電気素子と、を備える。
【発明の効果】
【０００７】
本発明によれば、より取り扱い易い電池蓋を有する電池収納部、及びそのような電池蓋を有する電池収納部を備えた電気機器を提供することができる。
【発明を実施するための最良の形態】
【０００８】
本発明の一実施形態に係る屈折計１０は、図１に示すように、本体部１４と、液体試料に挿入される液浸部１６と、を含む筐体１２を備える。液浸部１６には、液体試料と接触させるプリズム２０が配置された開口１８が設けられる。本体部１４には、測定の開始及びゼロ調整などの操作を行うための操作部２２ａ，２２ｂと、測定結果を表示するための液晶表示器などの表示部２４と、が設けられる。
【０００９】
図３の断面図を参照すると、液浸部１６内に配置された第１基板２６上には、光源２８及び受光センサ３０が固定される。光源２８及び受光センサ３０の上には、プリズム２０が接着される。本体部１４内に配置された、図３の紙面に平行な面を有する第２基板３２上には、演算部（図示省略）、操作部２２ａ，２２ｂ、及び表示部２４が支持される。また、液浸部１６と反対側の端部には、電源である電池を収納する電池収納部３４が設けられる。
【００１０】
屈折計１０の動作は、以下の通りである。屈折計１０のプリズム２０を液体試料に接触させ、スタートスイッチ２２ａを押して光源２８を点灯させると、光源２８から液体試料とプリズム２０の境界面２０ａに入射した光は、液体試料とプリズム２０の相対屈折率によって定まる全反射の臨界角により、屈折光と反射光とに分離される。反射光は、プリズム２０の面２０ｂでさらに反射して受光センサ３０上に結像し、受光センサ３０により電気信号に変換される。電気信号は増幅されて演算部（図示せず）に送られ、演算部において、電気信号に基づいて屈折率が検出される。屈折率は、糖度などの濃度に換算され、表示部２４に表示される。
【００１１】
電池収納部３４の断面図である図４を参照すると、電池収納部３４は、電池３６が収納される電池収納室３８を有する。電池３６は、例えば単４形などの円筒形電池である。電池収納室３８は、筐体１２及び筐体１２内部に設けた隔壁４０，４１によって、外部との境界が定められる。より詳細には、電池収納室３８の境界を定める筐体１２及び隔壁４０，４１は、電池収容室３８内における電池３６の移動可能な範囲を、後述の第１の軸Ａに沿った位置と第２の軸Ｂに沿った位置の間のみに限定する形状及び寸法を有する。
【００１２】
電池収納室３８は、第１の軸Ａに沿って延在する円筒形状の開口４２を有する。開口４２は、長手方向に挿入される電池３６を第１の軸Ａに沿って案内する。より詳細には、図５に示すように、開口４２の内周面４３は、電池３６の円筒形側面３６ａに合わせた円筒形の形状を有し、長手方向に挿入される電池３６を摺動可能に支持する。
【００１３】
再び図４を参照すると、電池収納部３４は、電池３６の負極端子４４及び正極端子４６とそれぞれ電気的に接触させる第１接点４８及び第２接点５０を有する。第１接点４８及び第２接点５０は、第２基板３２（図２）上に設けた電源回路（図示省略）に接続される。
【００１４】
図４に示すように、第１接点４８は弾性体からなり、好ましくは圧縮コイルばねからなる。電池３６が単４形の電池である場合、例えば、ばね定数が０．１〜０．２Ｎ／ｍ、自由高さが８〜２０ｍｍの円すいコイルばねを第１接点４８として使用することができる。第２接点５０は、板状又は板ばね状の接点である。
【００１５】
第１接点４８は、電池収納室３８内において第１の軸Ａ上に、開口４２から離間して配置される。より詳細には、第１接点４８は、第１接点４８が非圧縮状態のとき、第１接点４８と開口４２の間の距離が電池３６の長手方向の寸法より短くなるように位置決めされている。これにより、開口４２から電池３６を長手方向に挿入したとき、電池３６の正極端子４６側の円筒形側面３６ａが開口４２の内周面４３に支持された状態で、電池３６の負極端子４４が第１接点４８に接触する。また、第１接点４８は、第１接点４８が圧縮状態のとき、第１接点４８と開口４２の間の距離が電池３６の長手方向の寸法より長くなるように位置決めされている。これにより、第１接点４８を圧縮するように電池３６を押圧したとき、電池３６の円筒形側面３６ａと開口４２の内周面４３との接触を外すことができる。
【００１６】
第２接点５０は、電池収納室３８内において、第１接点４８の位置で第１の軸Ａと交差する第２の軸Ｂ上に配置される。また、電池３６の負極端子４４が第１接点４８に電気的に接触し且つ正極端子４６が第２接点５０に電気的に接触する「通電位置」に電池３６を配置できるように、第２接点５０は第１接点４８から離間し、且つ第１接点４８に対向して配置される。
【００１７】
第１の軸Ａと第２の軸Ｂの間の角度αは、以下の式に基づいてαｍｉｎとαｍａｘの間の範囲で決められる。
【００１８】
αmin＝ｔａｎ-1（φmin／２／Ａmax）          ・・・式（１）
αmax＝ｔａｎ-1（φmax／２／Ａmin）          ・・・式（２）
ここで、φｍａｘ及びφｍｉｎはそれぞれ電池３６の直径の最大及び最小、Ａｍａｘ及びＡｍｉｎはそれぞれ電池３６の総高の最大及び最小であり、いずれもＪＩＳ  Ｃ  ８５１１（２００４）に規定されている寸法である。
【００１９】
角度αは、電池３６が単１形電池の場合は１４．７〜１６．０度、単２形電池の場合は１４．０〜１５．１度、単３形電池の場合は７．６〜８．４度、単４形電池の場合は６．１〜６．９度、単５形電池の場合は１０．２〜１１．７度である。角度αを上記の式（１）及び（２）に基づいて決めることにより、後で詳細に説明するように、第１の軸Ａに沿って挿入した電池３６を容易に通電位置に移動させることができ、また通電位置にある電池３６を容易に取り出すことができる。
【００２０】
また、第２接点５０と開口４２の間には、第１の軸Ａに沿って延在する壁部５１が設けられている。より詳細には、第２接点５０と開口４２は、壁部５１を挟んで隣接している。壁部５１は円弧状の断面を有し、壁部５１の開口４２側の面が内周面４３の一部を構成する。壁部５１の第２接点５０側の面は、通電位置にある電池３６（図１０）の正極端子４６の円筒形側面に接触する。これにより、通電位置にある電池３６と第２接点５０の接触が外れることを防止し、電池３６を通電位置に保持することができる。また、壁部５１は、電池３６が正極端子４６と負極端子４４を逆にして、第１接点４８と第２接点５０の間に配置されたときに、負極端子４４が第２接点５０に接触するのを防止する。これにより、電池３６を誤った向きで挿入した場合に、電池３６の通電を防止することができる。
【００２１】
電池収納部３４は、さらに、開口４２を閉じる「閉鎖位置」（図１０）と開口４２を開く「開放位置」（図４）の間で移動可能な電池蓋５２を有する。電池蓋５２は、ピン５４により筐体１２に旋回可能に取り付けられる。ピン５４は、第１の軸Ａ及び第２の軸Ｂに垂直な方向に延伸する。したがって、電池蓋５２は、第１の軸Ａ上の位置（図４）から第２の軸Ｂ上の位置（図１０）へ旋回する電池３６と同一の面内で旋回する。
【００２２】
図１０に示すように、電池３６が通電位置にあるとき、第１接点４８による押圧力は、第２接点５０を支持する筐体１２にかかり、電池蓋５２にはかからない。したがって、電池蓋５２をより薄い形状にすることができる。また、熱可塑性エラストマー、ＰＰ樹脂（ポリプロピレン樹脂）などの弾性材料から電池蓋５２を作ることができる。
【００２３】
図４に示すように、電池蓋５２は、電池蓋５２の内側（開口４２側）に、電池蓋５２の旋回の接線方向を延伸軸Ｃとして延伸する台座部５８と、台座部５８に支持される押圧部５６と、を有する。押圧部５６は、電池蓋５２が閉鎖位置（図１０）にあるとき、開口４２を通って電池収納室３８内に進入するように構成されている。
【００２４】
図８の電池蓋５２の斜視図に示すように、台座部５８は、開口４２に嵌合する円筒形の形状を有し、外周面に設けられた環状溝６０内に、パッキング６２（図１０）が配置される。パッキング６２は、好ましくはエチレンプロピレンジエン三元共重合体（ＥＰＤＭ）などのエチレン・プロピレンゴムからなる。図１０に示すように、電池蓋５２が閉鎖位置にあるとき、パッキング６２が開口４２の内周面４３と環状溝６０の間に配置されることにより、電池収納室３８の防水性を保つことができる。
【００２５】
図４に示すように、押圧部５６は、その先端に概ね平坦な第１の面６４を有する。第１の面６４は、台座部５８の延伸軸Ｃに対して傾斜する。
【００２６】
台座部５８の延伸軸Ｃに対する第１の面６４の角度βは、以下の式に基づいてβｍｉｎとβｍａｘの間の範囲で決められる。
【００２７】
βmin＝ｔａｎ-1（２*（Ａmin−Ａmax）／（φmax−Ｆmin）          ・・・式（３）
βmax＝ｔａｎ-1（２*（Ａmin−Ａmax）／（φmin−Ｆmax）          ・・・式（４）
ここで、φｍａｘ及びφｍｉｎはそれぞれ電池３６の直径の最大及び最小、Ａｍａｘ及びＡｍｉｎはそれぞれ電池３６の総高の最大及び最小、Ｆｍａｘ及びＦｍｉｎはそれぞれ正極端子４６の規定された突出高さ内の直径の最大及び最小であり、いずれもＪＩＳ  Ｃ  ８５１１（２００４）に規定されている寸法である。
【００２８】
角度βは、電池３６が単１形電池の場合は８．６〜１０．０度、単２形電池の場合は７．７〜９．１度、単３形電池の場合は１４．２〜１８．０度、単４形電池の場合は１５．８〜２２．８度、単５形電池の場合は１２．４〜１７．７度である。角度βを上記の式（３）及び（４）に基づいて決めることにより、後で詳細に説明するように、第１の軸Ａに沿って挿入した電池３６を容易に通電位置に移動させることができる。
【００２９】
押圧部５６は、さらに、第１の面６４に隣接する概ね平坦な第２の面６６を有する。第２の面６６は、台座部５８の延伸軸Ｃに対して概ね平行である。これにより、電池蓋５２が閉鎖位置にあるとき（図１０）、電池３６の円筒形側面３６ａに接触し、電池３６を通電位置に保持することができる。
【００３０】
電池蓋５２を閉鎖位置に固定するために、電池蓋５２と筐体１２には、それぞれ互いに噛み合うする噛み合い手段が設けられる。噛み合い手段として、例えば、電池蓋５２にはフック６８が設けられ、電池蓋５２には溝７０が設けられる。
【００３１】
図４、図９及び図１０を参照して、電池収納部３４の動作を説明する。
【００３２】
電池収納室３８に電池３６を収納するときは、図４に示すように、電池蓋５２を開放位置に移動した状態で、電池３６を開口４２から挿入する。電池３６は、開口４２の内周面４３により、電池３６の負極端子４４が第１接点４８に接触するまで、第１の軸Ａに沿って案内される。
【００３３】
負極端子４４が第１接点４８に接触するとき、電池３６はまだ、正極端子４６側の円筒形側面３６ａが、開口４２の内周面４３に支持されている。この状態で、電池蓋５２を開放位置から、図４に破線で示す位置まで旋回させると、押圧部５６の第１の面６４が電池３６の正極端子４６側にある縁部３６ｂに接触する。
【００３４】
電池蓋５２を閉鎖位置に向かってさらに移動させると、押圧部５６が、電池３６を第１の軸Ａ上の「挿入位置」（図４）から、電池３６の負極端子４４及び正極端子４６が第１接点４８及び第２接点５０にそれぞれ電気的に接触する「通電位置」（図１０）へと移動させる。
【００３５】
より詳細には、図９に示すように、押圧部５６の第１の面６４によって電池３６が第１接点４８に向かって押され、電池３６の円筒形側面３６ａと開口４２の内周面４３との接触が外れる。接触が外れることにより、押圧部５６の第１の面６４は、電池３６を第１の軸Ａに対して斜め方向に押すようになる。それにより、電池３６の縁部３６ｂが押圧部５６の第１の面６４上を移動し、電池３６は、第１の軸Ａ上の位置から、第２軸上の第１接点４８と第２接点５０の間の位置に移動する。
【００３６】
電池３６が第２の軸Ｂ上に移動すると、電池３６の縁部３６ｂと押圧部５６の第１の面６４との接触が外れる。それにより、電池３６は、第１接点４８の押圧力によって第２接点５０に向かって僅かに移動し、図１０の通電位置に到達する。この移動により、押圧部５６の第２の面６６が電池３６の縁部３６ｂ近傍の円筒形側面３６ａと接触し、同時に、壁部５１の第２接点５０側の面が電池３６の正極端子４６の円筒形側面と接触する。電池３６は、これらの接触によって、通電位置に確実に保持される。また、電池蓋５２のフック６８と筐体１２の溝７０を噛み合わせることにより、電池蓋５２が閉鎖位置に固定される。
【００３７】
電池３６を取り出すときは、まず、フック６８と溝７０の噛み合いを外し、電池蓋５２を閉鎖位置から開放位置へ移動させる。次いで、開口４２から見える電池３６の縁部３６ｂを指で第１接点に向かって押しながら、壁部５１と電池３６の正極端子４６との接触を外し、電池３６を第１の軸Ａ上に移動させる。電池３６から指を離すと、第１接点４８の押圧力によって電池３６の正極端子４６側の円筒形側面３６ａが開口４２に摺動可能に支持された状態になる。この状態で屈折計１０を傾けて開口４２を下に向けることにより、電池３６は容易に取り出される。
【００３８】
上記の電池収納部３４によれば、電池３６を通電位置に配置したとき、電池蓋５２に第１接点４８による押圧力がかからないため、電池蓋５２を熱可塑性エラストマーなどの弾性材料でつくることができ、また、電池蓋５２をより薄い形状とすることができる。さらに、電池蓋５２を弾性材料でつくることにより、電池蓋５２をより容易に筐体１２に噛み合わせることができる。
【００３９】
また、電池蓋５２を熱可塑性エラストマーとすることにより、また電池蓋５２と開口との接触面を円筒形の形状とし且つパッキングを配置したことにより、電池収納室３８の防水性を向上することができる。
【００４０】
さらに、電池蓋５２を熱可塑性エラストマーとすることにより、電池蓋５２を電池収納部３４及び電池収納部３４を備えた電気機器の保護材として機能させ、電池収納部３４及び電気機器の耐衝撃性を向上することができる。
【００４１】
また、電池蓋５２を外しても電池３６が通電位置に配置されたままであるため、電池蓋５２が意図せずに外れた場合でも、電池３６からの電力供給を維持することができる。
【００４２】
以上、本発明の実施形態に係る電池収納部を備えた屈折計を説明したが、本発明はこれに限定されるものではなく、各部の構成は同様の機能を有する任意の構成のものに置き換えることができる。
【００４３】
例えば、本発明による電池収納部は、塩分計、ｐＨ計、導電率計、などの類似の測定器だけでなく、懐中電灯、カメラ、電動歯ブラシ、体温計、パーソナルトリマー（鼻・耳・眉の毛のカット用）、バリカン、携帯型電話機、携帯型電話機用充電器など、電池を電源とする他の様々な電気機器に広く適用することができる。
【産業上の利用可能性】
【００４４】
電池収納部をより電池交換し易くする上で極めて有用である。
【図面の簡単な説明】
【００４５】
【図１】本発明の一実施形態である屈折計の斜視図である。
【図２】図１の屈折計の側面図である。
【図３】図１の屈折計の断面図である。
【図４】電池収納部の断面図であり、電池蓋が開いた状態を示す。
【図５】電池蓋を取り除いた状態の、図２と同様の屈折計の側面図である。
【図６】内側から見た電池蓋の平面図である
【図７】図６の上から見た電池蓋の側面図である
【図８】電池蓋の斜視図である
【図９】電池蓋が開放位置から閉鎖位置に移動している状態を示す図４と同様の断面図である。
【図１０】電池蓋が閉じた状態を示す図４及び図９と同様の断面図である。
【符号の説明】
【００４６】
１０…屈折計
１２…筐体
１４…本体部
１６…液浸部
１８…開口
２０…プリズム
２２ａ，２２ｂ…操作部
２４…表示部
２６…第１基板
２８…光源
３０…受光センサ
３２…第２基板
３４…電池収納部
３６…電池
３６ａ…円筒形側面
３６ｂ…縁部
３８…電池収納室
４０，４１…隔壁
４２…開口
４３…内周面
４４…負極端子
４６…正極端子
４８…第１接点
５０…第２接点
５１…壁部
５２…電池蓋
５４…ピン
５６…押圧部
５６…突出部
５８…台座部
６０…環状溝
６２…パッキング
６４…第１の面
６６…第２の面
６８…フック
７０…溝
Ａ…第１の軸
Ｂ…第２の軸
Ｃ…延伸軸
【図１】
2009048782.tif 000003
【図２】
2009048782.tif 000004
【図３】
2009048782.tif 000005
【図４】
2009048782.tif 000006
【図５】
2009048782.tif 000007
【図６】
2009048782.tif 000008
【図７】
2009048782.tif 000009
【図８】
2009048782.tif 000010
【図９】
2009048782.tif 000011
【図１０】
2009048782.tif 000012